(57)【要約】【課題】施工に要する作業負担の少ない汎用性の高い支持瓦を提供することを課題とする。【解決手段】支持瓦は、太陽光パネルを瓦葺の屋根に取り付けるため既設の瓦の間に設置されるものである。支持瓦は、屋根の野地板に固定される板状の本体１２を有する。本体１２は、太陽光パネルを取り付けるための取付ボス部を備えている。実施形態に係る支持瓦は、当該支持瓦の横方向に隣接して当該支持瓦の下に部分的に重なる既設の瓦の重なり部分の軒先側の端部を選択的に露出可能なように、当該端部を覆う本体１２の一部を薄肉にして切り取り可能にした切取部２０を有する。【選択図】      図３
2014055479.tif 000002
【特許請求の範囲】
【請求項１】
屋根上設置物を瓦葺の屋根に取り付けるため既設の瓦の間に設置される支持瓦であって、
上記屋根上設置物を取り付けるための取付部を備え、屋根の野地板に固定される板状の本体と、
当該支持瓦の横方向に隣接して当該支持瓦の下に部分的に重なる既設の瓦の重なり部分の軒先側の端部を露出可能なように、当該端部を覆う上記本体の一部を薄肉にして切り取り可能にした切取部と、
を有する支持瓦。
【請求項２】
上記切取部は、上記本体を裏側から凹ませた薄肉の凹部である、
請求項１の支持瓦。
【請求項３】
上記凹部の底には、上記切取部を分割して切り取り可能にするための溝が設けられている、
請求項２の支持瓦。
【請求項４】
アルミニウムなどの金属により形成した、
請求項１乃至３のいずれかの支持瓦。
【発明の詳細な説明】
【技術分野】
【０００１】
本発明の実施形態は、太陽光パネルなどの屋根上設置物を瓦葺の屋根に設置するための支持瓦に関する。
【背景技術】
【０００２】
瓦葺の屋根に太陽光パネルなどの屋根上設置物を取り付ける場合、既設の瓦の間に例えばアルミニウムなど比較的軽い金属製の支持瓦を取り付ける。この種の支持瓦は、太陽光パネルを取り付けるためのブラケットとともに屋根の野地板に固定される。これにより、太陽光パネルが強風でも飛ばされることがない、強固な支持構造を実現できる。
【０００３】
実際に太陽光パネルを瓦葺屋根に取り付ける場合、作業員は、屋根に上って、既に葺いてある既設の瓦の上を歩いて作業する。このとき、瓦同士が左右に部分的に重なった排水溝として機能する薄肉部分に割れを生じ易いことが知られている。瓦の重なり部分に割れを生じると、その部位から雨水が染み込んで雨漏りの原因となる。
【０００４】
このような薄肉部分の割れを視認可能にするため、薄肉部分の上に部分的に重なる瓦の軒先側の端部に薄肉部分の端部（すなわち割れ部分）を露出するための切り欠きを設けたものが普及されつつある。これにより、瓦の割れを早期に発見でき、雨漏りを未然に防ぐことができる。
【先行技術文献】
【特許文献】
【０００５】
【特許文献１】特許第３１９０５５９号公報
【発明の概要】
【発明が解決しようとする課題】
【０００６】
しかし、このように割れ認識のための切り欠きを設けた場合、一方で、薄肉部分の端部を切り欠きから露出するまで軒先側に延ばす必要があり、これら２箇所において、従来の切り欠きを持たない瓦とは全く異なる構造の特殊な瓦を用意する必要がある。
【０００７】
これに対し、太陽光パネルなどを取り付けるための支持瓦は、切り欠きを持たない一般的な形状の瓦に合わせた構造を有するため、この支持瓦を上述した特殊な構造の瓦の間に取り付ける際には、この支持瓦の下に部分的に重なる特殊な瓦の薄肉部分の軒先側の端部をグラインダーにより部分的に削り取る必要がある。この場合、既に屋根に設置してある特殊な瓦を一旦取り外して屋根から下ろしてグラインダーで部分的に削って再び屋根に上げて施工する必要があり、作業負担が大きかった。また、このように、瓦をグラインダーで削る作業には熟練を要し、瓦に割れやひびを生じてしまう場合もあった。
【０００８】
また、この場合、重なり部分の割れを視認可能な特殊な瓦を用いたにも拘らず、支持瓦の下に重なる薄肉部分の軒先側の端部を削ってしまうとともに支持瓦の軒先側の端縁で覆ってしまうため、軒先側からこの瓦の重なり部分の割れを認識することができなくなってしまう。
【０００９】
よって、施工に要する作業負担の少ない汎用性の高い支持瓦の開発が望まれている。
【課題を解決するための手段】
【００１０】
支持瓦は、屋根上設置物を瓦葺の屋根に取り付けるため既設の瓦の間に設置されるものである。支持瓦は、屋根の野地板に固定される板状の本体を有する。本体は、屋根上設置物を取り付けるための取付部を備えている。実施形態に係る支持瓦は、当該支持瓦の横方向に隣接して当該支持瓦の下に部分的に重なる既設の瓦の重なり部分の軒先側の端部を選択的に露出可能なように、当該端部を覆う本体の一部を薄肉にして切り取り可能にした切取部を有する。
【図面の簡単な説明】
【００１１】
【図１】図１は、実施形態に係る支持瓦の断面図である。
【図２】図２は、図１の支持瓦を既設の瓦の間に設置した状態の外観斜視図である。
【図３】図３は、図１の支持瓦の要部の構造を部分的に拡大して示す部分拡大斜視図である。
【図４】図４は、横方向に隣接する瓦同士の帯状の重なり部分の軒先側の端部を部分的に拡大して示す部分拡大斜視図である。
【図５】図５は、図３の切取部を取り除いた状態の支持瓦を図４の瓦の重なり部分に重ねた部位を部分的に拡大して示す部分拡大斜視図である。
【図６】図６は、他の実施形態に係る支持瓦の要部の構造を部分的に拡大して示す部分拡大斜視図である。
【発明を実施するための形態】
【００１２】
以下、図面を参照しながら実施形態について詳細に説明する。  
太陽光パネルなどの屋根上設置物を瓦葺の屋根に設置する場合、既設の瓦の間に例えば複数枚の支持瓦を取り付ける。太陽光パネルは、これら複数枚の支持瓦を介して屋根に取り付けられる。つまり、各支持瓦の取り付け位置や取り付け枚数は、太陽光パネルの設置場所や大きさによって決まる。
【００１３】
図１は、本実施形態の支持瓦１０を野地板１００の傾斜方向に沿って切断した断面図である。図１では、支持瓦１０の棟側（傾斜上方、図示右方）に隣接した既設の瓦ＫＨと支持瓦の軒先側（傾斜下方、図示左方）に隣接した既設の瓦ＫＬも部分的に図示してある。また、図２は、図１の支持瓦１０を既設の瓦Ｋの間に設置した状態の一例を示す外観斜視図である。
【００１４】
支持瓦１０は、例えば、アルミニウム、鉄、樹脂など、荷重に対する十分な強度を有する材料により形成可能である。本実施形態の支持瓦１０は、比較的軽量な金属であるアルミニウムにより形成した。
【００１５】
支持瓦１０は、野地板１００に４本（図１では２本のみ図示）のボルト１０１で固定される本体１２を有する。支持瓦１０の本体１２は、既に屋根に葺かれている既設の瓦Ｋとほぼ同じ外形を有する。また、本体１２は、太陽光パネルＰを取り付けるための４つ（図１では２つのみ図示）の取付ボス部１４（取付部）を有する。これら取付ボス部１４は、本体１２の上面から一体に突設されている。各取付ボス部１４は、太陽光パネルＰを取り付けるための後述するブラケット１１０とともに本体１２を野地板１００に固定するボルト１０１を挿通するための貫通孔１５をそれぞれ有する。
【００１６】
支持瓦１０の野地板１００に対向する裏面には、屋根の傾斜方向に延びた複数本のリブ１７と、傾斜方向と直交する横方向に延びた複数本のリブ１６が互いに交差する状態で突設されている。そして、これらリブ１６、１７の先端と野地板１００との間に、スペーサブロック１０２が取り付けられている。スペーサブロック１０２は、野地板１００の表面１００ａに取り付けられた平板状の固定台１０２ａと、この固定台１０２ａの上に取り付けられた棒材１０２ｂと、を有する。
【００１７】
また、野地板１００の表面１００ａには、屋根の傾斜方向に離間して傾斜方向と直交する横方向に延びた複数本の横桟１０３が取り付けられている。スペーサブロック１０２は、隣接する２本の横桟１０３の間に配置される。
【００１８】
支持瓦１０の本体１２の軒先側の縁部には、野地板１００に向けて本体１２を略直角に折り曲げた縁壁部１２ａが設けられている。縁壁部１２ａの先端は、支持瓦１０の軒先側に隣接した瓦ＫＬの上面に当接する。この縁壁部１２ａを軒下から見上げると、例えば図２示す例では、隣接する瓦Ｋの後述する重なり部分１２０を縁壁部１２ａが覆い隠している。一方、支持瓦１０の棟側の縁部１２ｂは、支持瓦１０の棟側に隣接した瓦ＫＨの下に配置される。支持瓦１０の棟側の端部の下面は、横桟１０３に当接する。
【００１９】
上記構造の支持瓦１０を既設の瓦Ｋの間に取り付ける場合、太陽光パネルＰの取付位置にある既設の瓦Ｋを取り除き、支持瓦１０を代りに取り付ける。このとき、まず、野地板１００の表面１００ａにスペーサブロック１０２を固設して、支持瓦１０の軒先側の縁壁部１２ａの先端を傾斜下方に隣接する瓦ＫＬの上面に当接せしめるとともに、棟側の縁部１２ｂを傾斜上方に隣接する瓦ＫＨの下に配置する。
【００２０】
そして、支持瓦１０の４つの取付ボス部１４の上にブラケット１１０を載置して、ブラケット１１０のフランジ部１１０ａにある４つの孔にそれぞれボルト１０１を挿通する。フランジ部１１０ａの４つの孔は、それぞれ、本体１２の４つの取付ボス部１４の貫通孔１５と同軸に重なる位置に設けられている。各ボルト１０１は、取付ボス部１４の貫通孔１５を通ってスペーサブロック１０２の固定台１０２ａおよび野地板１００に締結固定される。これにより、太陽光パネルＰを取り付けるためのブラケット１１０を支持瓦１０の取付ボス部１４に固定すると同時に支持瓦１０の本体１２を野地板１００に固定することができる。
【００２１】
図３は、本実施形態の支持瓦１０の要部として縁壁部１２ａを裏面側から見た部分拡大斜視図である。また、図４は、野地板１００の傾斜方向と直交する横方向に隣接した瓦同士を部分的に重ねる瓦Ｋの重なり部分１２０の軒先側の端部１２０ａを部分的に拡大した部分拡大斜視図である。この重なり部分１２０は、相手の瓦（支持瓦１０を含む）の下に重なる傾斜方向に延びた薄肉の帯状部分であり、横方向に接する２枚の瓦Ｋの間に侵入する雨水などを受けて軒先側に流す機能を果たす。
【００２２】
しかし、このように薄肉にされた重なり部分１２０は、瓦本体の他の部分に比べて薄いため割れ易い。このため、例えば、太陽光パネルＰの取付作業のため作業員が屋根の上を歩いた際に、この重なり部分１２０が割れる場合がある。重なり部分１２０が割れると、雨水が浸入して雨漏りの原因となる可能性がある。
【００２３】
図４の瓦Ｋは、重なり部分１２０が割れた場合に、そのひび割れ部分を軒先側から容易に視認可能なように、重なり部分１２０を軒先側の端部１２０ａまで延長せしめた構造を有する。この瓦Ｋを用いる場合、重なり部分１２０の割れが見えるように重なり部分１２０の上に重なる別の瓦Ｋ（実質的には同じ瓦）の軒先側の端部を部分的に切り欠く必要がある（図５参照）。このように、特殊な構造の瓦Ｋを用いると、瓦Ｋの重なり部分１２０が割れた場合、直ぐに補修に取り掛かることができ、雨漏りを未然に防ぐことができる。
【００２４】
一方、このように軒先側の端部まで重なり部分１２０を延出した瓦Ｋではなく、通常の瓦（重なり部分１２０の軒先側の端部が上に重なる瓦の軒先側の端部で隠れる構造）を用いた場合（例えば図２の場合）、隣接する上に重なる側の瓦の軒先側の端部は切欠き部を有する必要はない。よって、例えば、このような通常の瓦Ｋの間に支持瓦１０を取り付ける場合、図２に示すように、支持瓦１０の軒先側の端部には切欠き部を設ける必要が無い。
【００２５】
本実施形態の支持瓦１０は、このように重なり部分１２０の端部１２０ａを軒先側まで延出した瓦の間に取り付け可能で、且つ、重なり部分１２０の端部を軒先側まで延出していない通常の瓦の間にも取り付け可能な構造を有する。
【００２６】
つまり、本実施形態の支持瓦１０は、本体１２の軒先側の縁壁部１２ａに、一部を切り取り可能にした切取部２０を有する。この切取部２０は、下に重なる瓦Ｋの重なり部分１２０の軒先側の端部１２０ａを覆う位置に設けられている。このため、切取部２０を切除すると、下に重なる瓦Ｋの重なり部分１２０の軒先側の端部１２０ａを露出させることができる。また、この切取部２０を切除しないまま使用した場合、重なり部分１２０の軒先側の端部を覆うことができる。
【００２７】
切取部２０は、図３に示すように、支持瓦１０の軒先側の縁壁部１２ａの裏面側に設けた矩形の凹部２２を有する。この凹部２２を縁壁部１２ａに設けることで、切取部２０の肉厚を他の部分より薄くして、ペンチ等により容易に切除可能としている。凹部２２を縁壁部１２ａの裏面側に設けることで、切取部２０を切除しない状態の支持瓦１０を軒先側から見た際に、美観を損なうことがない。
【００２８】
本実施形態では、支持瓦１０の軒先側の縁壁部１２ａの裏側に単に凹部２２を形成した切取部２０を設けたが、凹部２２が本体１２につながる境界部分に凹部より少し深い連続した溝を設けても良い。この場合、切取部２０をより簡単に切除可能となることに加え、切取部２０を綺麗に取り除くことができる。
【００２９】
以上のように、本実施形態によると、支持瓦１０の軒先側の縁壁部１２ａに切取部２０を設けたため、この支持瓦１０の横方向に隣接した瓦Ｋであって、支持瓦１０の下に部分的に重なる重なり部分１２０が軒先側の縁まで延びた瓦、および重なり部分１２０が軒先側の縁まで延びていない瓦の双方に適用可能であり、汎用性の高い支持瓦を提供できる。
【００３０】
特に、瓦Ｋの重なり部分１２０の軒先側の端部１２０ａが瓦本体の軒先側の縁部まで延びている例えば図２に示すような瓦Ｋの間に本実施形態の支持瓦１０を取り付ける場合、作業員は、屋根の上で、支持瓦１０の縁壁部１２ａにある切取部２０をペンチなどで切除するだけで容易に支持瓦１０を取り付けでき、施工に要する作業負担を少なくできる。なお、この場合、作業員は、支持瓦１０の下に重なる瓦Ｋの重なり部分１２０の軒先側の端部１２０ａをグラインダー等により削り取る必要がなく、熟練を要することもない。
【００３１】
図６は、他の実施形態に係る支持瓦３０の要部として縁壁部１２ａに形成した切取部２０’を部分的に拡大して示す部分拡大斜視図である。この支持瓦３０は、切取部２０’の構造が異なる以外、上述した支持瓦１０と同じ構造を有する。よって、ここでは、支持瓦１０と異なる部分について説明し、同様に機能する構成については、同一符号を付してその詳細な説明を省略する。
【００３２】
本実施形態の支持瓦３０は、複数の部分に分割して切り取り可能にできる薄肉の凹部３２からなる切取部２０’を有する。つまり、本実施形態では、凹部３２の底に２本の溝３４を設け、凹部３２を３つの部分に分割して切り取り可能とした。
【００３３】
以上のように、本実施形態によると、上述した支持瓦１０を用いた場合と同様の効果を奏することができることに加えて、切取部２０’をより簡単に切除可能であり、作業員による作業負担をより軽減できる。
【００３４】
以上述べた少なくともひとつの実施形態によると、本体の軒先側の縁壁部に切取部を設けたため、施工に要する作業負担の少ない汎用性の高い支持瓦を提供することができる。
【００３５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１０…支持瓦、１２…本体、１２ａ…縁壁部、２０…切取部、１００…野地板、１２０…重なり部分、１２０ａ…端部、Ｋ…瓦。
【図１】
2014055479.tif 000003
【図２】
2014055479.tif 000004
【図３】
2014055479.tif 000005
【図４】
2014055479.tif 000006
【図５】
2014055479.tif 000007
【図６】
2014055479.tif 000008